(57)【要約】【課題】  ピットスイッチを設けるための部品の追加やスペースの確保を必要としないエレベーター装置を提供する。【解決手段】  本発明のエレベーターは、建屋に隣接して形成され、最下部にピットを有する昇降路と、昇降路を昇降する乗りかごとを備えたエレベーターにおいて、乗りかごは、乗客又は荷物が出入りするかごドアを有し、建屋の最下階に設けられ、乗りかごが最下階に到着した際にかごドアと対向する位置に設けられた最下階ハッチドア（２）と、最下階ハッチドア（２）の下端と係合する最下階ハッチシル（１ａ）とを有し、最下階ハッチシル（１ａ）に、乗りかごの移動を停止可能なピットスイッチ（４）が設けられていることを特徴とする。【選択図】図２
2019085219.tif 000002
【特許請求の範囲】
【請求項１】
建屋に隣接して形成され、最下部にピットを有する昇降路と、前記昇降路を昇降する乗りかごとを備えたエレベーターにおいて、
前記乗りかごは、乗客又は荷物が出入りするかごドアを有し、
前記建屋の最下階に設けられ、前記乗りかごが前記最下階に到着した際に前記かごドアと対向する位置に設けられた最下階ハッチドアと、前記最下階ハッチドアの下端と係合する最下階ハッチシルとを有し、
前記最下階ハッチシルに、前記乗りかごの移動を停止可能なピットスイッチが設けられていることを特徴とするエレベーター。
【請求項２】
請求項１に記載のエレベーターにおいて、
前記最下階ハッチシルに、前記ピットスイッチが投入されると点灯し、前記ピットスイッチが開放されると消灯する確認用照明が設けられていることを特徴とするエレベーター。
【請求項３】
請求項１又は２に記載のエレベーターにおいて、
前記最下階ハッチシルに、前記ピット内を照明可能な点検用照明が設けられていることを特徴とするエレベーター。
【請求項４】
請求項３に記載のエレベーターにおいて、
前記点検用照明は、前記ピットスイッチが投入されると点灯し、前記ピットスイッチが開放されると消灯することを特徴とするエレベーター。
【発明の詳細な説明】
【技術分野】
【０００１】
本発明は、エレベーターに関する。
【背景技術】
【０００２】
昇降路の底部に設置されたピットにおいて、エレベーターの保守点検作業を行う作業者の安全性を確保する安全装置として、ピットに作業スイッチであるピットスイッチを設けた物がある。作業者がピットに入って作業する場合、作業者はピットに入り、ピットスイッチを投入して乗りかごの移動を停止する。そして、作業者はピット内での作業を終えた後、ピットスイッチを開放(復帰)し、ピットを出る。このようなピットスイッチを備える物として、例えば特許文献１がある。
【先行技術文献】
【特許文献】
【０００３】
【特許文献１】２０１６−１４１５２７号公報
【発明の概要】
【発明が解決しようとする課題】
【０００４】
ピットスイッチは、通常、昇降路のガイドレールにブラケットを介して取り付けられている。このような構成では昇降路内を昇降する乗りかごの移動の妨げとならないようにする必要があり、昇降路内のスペース確保が難しい場合がある。特に、既設のエレベーターにピットスイッチを増設する場合、ピットスイッチ及びブラケットを取り付けるスペースの確保ができない場合、更新が困難であった。また、ピットスイッチを取り付けるためのブラケットが必要な分、部品点数が増加し、コストの増加にもつながっていた。
【０００５】
本発明の目的は、上記事情に鑑み、ピットスイッチを設けるための部品の追加やスペースの確保を必要としないエレベーターを提供することにある。
【課題を解決するための手段】
【０００６】
本発明は、上記事情に鑑み、建屋の最下階のハッチドアの下端と係合するハッチシルにピットスイッチを設けたエレベーターを提供する。
【発明の効果】
【０００７】
本発明によれば、ピットスイッチを設けるための部品の追加やスペースの確保を必要としないエレベーターを提供することができる。
【０００８】
上述した以外の課題、構成及び効果は、以下の実施形態の説明により明らかにされる。
【図面の簡単な説明】
【０００９】
【図１】本発明のエレベーターの一例を示す模式図
【図２】図１のＸ部分を昇降路側から見た図
【図３】図２の側面図
【図４】図２の上面図
【図５】図１のＸ部分の第２の例を昇降路側から見た図
【図６】図５の側面図
【図７】図５の上面図
【図８】図１のＸ部分の第３の例を昇降路側から見た図
【図９】図８の側面図
【図１０】図８の上面図
【発明を実施するための形態】
【００１０】
以下、本発明の実施形態について、図面を参照して説明する。なお、各図において同一又は類似の構成には同じ符号を付して繰り返しの説明は省略する。
【実施例１】
【００１１】
図１は本発明のエレベーターの一例を示す模式図である。図１に示すように、本発明のエレベーター１００は、建屋２６に隣接して形成され、最下部にピット２７を有する昇降路２０と、昇降路２０を昇降する乗りかご２１を備える。乗りかご２１は、ロープ２３を介して釣り合い錘２２に接続される。巻上機２４は、ロープ２３を駆動する。
【００１２】
乗りかご２１は、乗客又は荷物が出入りするかごドア２５を有する。建屋２６の各階の乗り場（エレベーターホール、ＥＨ）には、それぞれ乗りかご２１が各階に到着した際にかごドアと対向する位置にハッチドア（乗り場ドア）が設けられている。図１では、建屋２６の最下階に設けられる最下階ハッチドア２のみ図示している。最下階ハッチドア２は、乗りかご２１が建屋２６の最下階に到着した際に、かごドア２５と対向する位置に設けられている。
【００１３】
ピット２７は、通常、図示しないエレベーターの緩衝器（乗りかごが衝突した際に衝撃を吸収する装置）が設けられるスペースであり、作業者がエレベーターの保守点検のために出入りすることがあるスペースである。
【００１４】
図２は図１のＸ部分を昇降路側から見た図であり、図３は図２の側面図であり、図４は図２の上面図である。図２〜４に示すように、最下階ハッチドア２の下部には、最下階ハッチドア２の下端と係合する最下階ハッチシル（敷居）１ａが設けられている。最下階ハッチドア２は最下階ハッチシル１ａに沿って開閉する。最下階ハッチシル１ａは、昇降路２０の壁面にブラケット３を介して固定されている。
【００１５】
最下階ハッチドア２は、例えば、第１ハッチドア２ａ及び第２ハッチドア２ｂを有する両開き式であり、エレベーターの通常運転時、乗りかご２１のかごドア２５と係合機構（本図面には示していない。）を介して係合し、かごドア２５と連動して開閉するように構成されている。
【００１６】
本実施例のエレベーター１００は、最下階ハッチシル１ａにピットスイッチ４が設けられている。ピットスイッチ４は、投入されると乗りかご２１の移動を停止する物である。ピットスイッチ４は、例えば、リレー回路を遮断して電源の遮断及びブレーキの作動を実行し、乗りかごの移動を停止する。ピットスイッチ４が投入された状態では、例え乗りかご内の行先階ボタンや乗り場の呼びボタンが押さされたとしても、乗りかご２１は移動しない。ピットスイッチ４を開放(復帰)し、初めて乗りかご２１は移動可能な状態となる。
【００１７】
このように最下階ハッチシル１ａにピットスイッチ４を設けることで、ピットスイッチ４を設けるための部品の追加や、ピットスイッチ４を設けるスペースを確保する必要が無い。ピットスイッチ４は、表面のボタン部分以外は最下階ハッチシル１ａの内部に収容されるため、昇降路における乗りかご２１の移動を妨げる突出部は生じない。このため、ピットスイッチを設ける規格が無く、ピットスイッチを搭載していない仕様のエレベーターに対しても、ピットスイッチ４を設けるための部品やスペースの確保を必要とせず、ピットスイッチ４を容易に増設することができる。ピットスイッチ４は、図２〜図４では最下階ハッチシル１ａの端部に設けられているが、最下階ハッチシル１ａのどの部分に設けられていてもよい。例えば、最下階ハッチシル１ａの中央部に設けられていてもよい。
【００１８】
既設のエレベーターに増設する場合、既設の最下階ハッチシルにピットスイッチ４を設けるか、又は、既設の最下階ハッチシルを、ピットスイッチ４が設けられた最下階ハッチシル１ａと交換することができる。最下階ハッチシル１ａにピットスイッチ４を設けた後、ピットスイッチ４とエレベーター制御装置（本図面には示していない。）とをケーブルを介して接続することで、ピットスイッチ４と乗りかご２１とを電気的に接続することができる。
【００１９】
本発明では、最下階ハッチシル１ａにピットスイッチ４を設けることで、作業者が最下階ＥＨから手を伸ばしてピットスイッチ４を投入することができる。すなわち、作業者がピット２７に入る前にピットスイッチ４を投入して乗りかご２１の移動を停止することができる。このため、作業者の安全性をより高めることができる。
【００２０】
次に、作業者がピット２７に入って保守点検作業を行い、作業が終了してピット２７を出るまでの手順の一例について説明する。まず始めに、作業者は保守スイッチ（本図面には示していない。）を投入し、エレベーターを通常運転モードから保守運転モードに切り替え、最下階に位置する乗りかご２１を低速にて上昇させるとともに所定の高さ位置にて停止させる。この状態で、保守員は、最下階のＥＨ側から手を伸ばしてピットスイッチ４を投入する。ピットスイッチ４の投入によってリレー回路が遮断する。リレー回路の遮断により、電源の遮断及びブレーキの作動が実行され、乗りかごの移動が機械的に停止される。この後、作業者はピット２７内に入り、保守点検作業を行う。
【００２１】
作業員は、ピット２７内での保守点検作業が終了すると、ピット２７から退室して最下階のＥＨに移動し、最下階のＥＨから手を伸ばしてピットスイッチ４を開放（復帰）する。ピットスイッチ４の開放(復帰)に応じてリレー回路が復帰する。リレー回路が復帰することにより、エレベーターは低速で乗りかご２１を移動可能な保守運転モードへと切り替わる。
【００２２】
以上、説明したように、本発明によれば、昇降路２０の下部に形成されるピット２７にて保守作業を行う時に投入され、乗りかごの移動を停止可能なピットスイッチ４を最下階ハッチシル１ａに設けることにより、エレベーターに比較的容易にピットスイッチ４を設けることができる。すなわち、ピットスイッチを取り付けるための部品（ブラケット等）の追加や、取り付けるためのスペースの追加を要することなく、ピットスイッチ４を設けることができる。
【００２３】
また、ピットスイッチ４を、最下階のＥＨから手の届く最下階ハッチシル１ａに設けたことにより、作業者がＥＨにいながら乗りかご２１の移動を機械的に停止するモードへと切り替えることができる。このため、作業者は安全を確保した状態でピット２７に入室することができる。
【実施例２】
【００２４】
図５は図１のＸ部分の第２の例を昇降路側から見た図であり、図６は図５の側面図であり、図７は図５の上面図である。図５〜図７に示すように、本実施例では、最下階ハッチシル１ｂに確認用照明５が設けられている点が実施例１と異なる。確認用照明５は、ピットスイッチ４が投入されると点灯し、ピットスイッチ４が開放(復帰)されると消灯する物である。確認用照明５によって、ピットスイッチ４が投入状態にあるか、或いは開放(復帰)状態にあるかを目視にて容易に確認することができる。
【００２５】
確認用照明を設けることで、作業者がピット２７に入る前に、ピットスイッチ４が投入されている状態であることを視覚的に確認することができ、より安全性を高めることができる。また、作業者が作業終了し、ピット２７を退室する際に、ピットスイッチ４が開放(復帰)され、エレベーターが保守運転に切り替わったことを視覚的に確認することができ、ピットスイッチ４の開放(復帰)し忘れを防ぎやすくすることができる。
【００２６】
既設のエレベーターの場合、最下階ハッチシル１ｂにピットスイッチ４と共に確認用照明５を追加してもよいし、既設の最下階ハッチシルを、ピットスイッチ４及び確認用照明５が設けられている最下階ハッチシル１ｂと交換してもよい。
【００２７】
最下階ハッチシル１ｃのピットスイッチ４及び確認用照明５とエレベーター制御装置（本図面には示していない。）とをケーブルを介して接続することで、ピットスイッチ４、確認用照明５及び乗りかご２１とを電気的に接続することができる。
【実施例３】
【００２８】
図８は図１のＸ部分の第３の例を昇降路側から見た図であり、図９は図８の側面図であり、図１０は図８の上面図である。図８〜図１０に示すように、本実施例では、最下階ハッチシル１ｂにピット内を照明する点検用照明６が設けられている点が実施例１及び実施例２と異なる。
【００２９】
点検用照明６は、ピット内における保守点検作業に必要とされる照度を満たす光源を備えるものであり、作業者が保守点検作業を暗がりで行うことを回避し、作業の安全性及び効率を向上することができる。なお、点検用照明６は、ピット２７にあらかじめ設けられる既設の点検用照明と合わせて使用することもできる。
【００３０】
点検用照明６は、単独で点灯及び消灯するものであってもよいし、ピットスイッチ４と連動し、ピットスイッチ４を投入すると点灯するとともに、ピットスイッチ４を開放(復帰)すると消灯するように構成されていてもよい。点検用照明６とピットスイッチ４を連動させることで、ピットスイッチ４が投入状態にあるか、或いは開放(復帰)状態にあるかを目視にて容易に確認することができる。
【００３１】
既設のエレベーターの場合、最下階ハッチシル１ｃにピットスイッチ４と共に点検用照明６を追加してもよいし、既設の最下階ハッチシルを、ピットスイッチ４及び点検用照明６が設けられている最下階ハッチシル１ｃと交換してもよい。ピットスイッチ４と点検用照明６とを連動させる場合、最下階ハッチシル１ｃのピットスイッチ４及び点検用照明６とエレベーター制御装置（本図面には示していない。）とをケーブルを介して接続することで、ピットスイッチ４、点検用照明６及び乗りかご２１とを電気的に接続することができる。
【００３２】
なお、図８〜１０では、最下階ハッチシル１ｃにピットスイッチ４、確認用照明５及び点検用照明６の全てを備える態様を示しているが、確認用照明５は設けられていなくてもよい。
【００３３】
以上、説明したように、本発明によれば、ピットスイッチを設けるための部品の追加やスペースの確保を必要としないエレベーターを提供できることが実証された。
【００３４】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。また、各実施例の構成の一部について、他の構成の追加・削除・置換をすることが可能である。
【符号の説明】
【００３５】
１ａ、１ｂ，１ｃ…最下階ハッチシル、２…最下階ハッチドア、２ａ…第１ハッチドア、２ｂ…第２ハッチドア、３…ブラケット、４…ピットスイッチ、５…確認用照明、６…点検用照明、ＥＨ…エレベータホール、２０…昇降路、２１…乗りかご、２２…釣り合い錘、２３…ロープ、２４…巻上機、２５…かごドア、２６…建屋、２７…ピット、１００…エレベーター。
【図１】
2019085219.tif 000003
【図２】
2019085219.tif 000004
【図３】
2019085219.tif 000005
【図４】
2019085219.tif 000006
【図５】
2019085219.tif 000007
【図６】
2019085219.tif 000008
【図７】
2019085219.tif 000009
【図８】
2019085219.tif 000010
【図９】
2019085219.tif 000011
【図１０】
2019085219.tif 000012